(57)【特許請求の範囲】
【請求項１】
冷蔵庫本体と、前記冷蔵庫本体の前面に開閉可能に取り付けられた扉体と、前記扉体の内部に設置されて前記扉体の前面に画像を表示する表示装置と、を備える冷蔵庫であって、
前記扉体は、前記扉体の内側を構成する扉内板と、前記扉内板と対向して設けられた前記扉体と略同サイズの平板状の中間板と、前記中間板の前面に設けられた前記扉体と略同サイズの略直方体形状の構造体である枠体と、を備え、
前記扉内板と前記中間板で挟まれた空間には、発泡断熱材が充填され、
前記枠体は、前記中間板の前面の周囲に取り付けられ、
前記表示装置は、前記枠体の内部に固定保持される
ことを特徴とする冷蔵庫。
【請求項２】
前記枠体の内部には、前記表示装置に接続される配線が配設され、前記配線は、前記空間とは異なる空間に配設される
ことを特徴とする請求項１に記載の冷蔵庫。
【請求項３】
前記枠体の前面には、前記表示装置の画面が透過可能な透明前板が設けられている
ことを特徴とする請求項１又は２に記載の冷蔵庫。
【発明の詳細な説明】
【技術分野】
【０００１】
本発明は、冷蔵庫、特に、扉体の内部に画像表示装置が設けられた冷蔵庫に関する。
【背景技術】
【０００２】
従来、冷蔵庫において、その扉体の前面に種々の画像情報を表示するための液晶ディスプレイ等の画像表示装置が扉体の内部に設けられたものが知られている。例えば、特許文献１には、大型の画像表示装置を備えた冷蔵庫が開示されている。
【０００３】
特許文献１に開示されているような冷蔵庫では、扉体の内部空間に充填された発泡断熱材の前面側に画像表示装置が設けられているため、画像表示装置が設けられていない冷蔵庫と比較して、少なくとも画像表示装置の厚み分、扉体全体の厚み寸法が増すこととなる。
【０００４】
これに対して、扉体の厚み寸法の増大を抑制するため、発泡断熱材の前面に凹部を設け、該凹部内に画像表示装置を収容することが考えられるが、この場合、扉体の剛性に寄与する発泡断熱材が減少するので、扉体全体の剛性が低下するおそれがある。
【先行技術文献】
【特許文献】
【０００５】
【特許文献１】特開２０１４−２０６３２１号公報
【発明の概要】
【発明が解決しようとする課題】
【０００６】
そこで、本発明は、扉体の内部に扉体と略同サイズの大型表示装置を設けても、扉体の剛性が確保された冷蔵庫を提供することを課題とする。
【課題を解決するための手段】
【０００７】
前記課題を解決するため、本発明に係る冷蔵庫は、次のように構成したことを特徴とする。
【０００８】
本発明は、冷蔵庫本体と、前記冷蔵庫本体の前面に開閉可能に取り付けられた扉体と、前記扉体の内部に設置されて前記扉体の前面に画像を表示する表示装置と、を備える冷蔵庫であって、前記扉体は、前記扉体の内側を構成する扉内板と、前記扉内板と対向して設けられた平板状の中間板と、前記中間板の前面に設けられた略直方体形状の構造体である枠体と、を備え、前記扉内板と前記中間板で挟まれた空間には、発泡断熱材が充填され、前記枠体は、前記中間板の前面の周囲に取り付けられ、前記表示装置は、前記枠体の内部に固定保持されることを特徴とする。
【０００９】
本発明によれば、扉体の内部に扉体と略同サイズの大型表示装置を設けても、扉の剛性を確保することができる。
【００１０】
また、本発明は、前記枠体の内部には、前記表示装置に接続される配線が配設されることを特徴とする。
【００１１】
本発明によれば、断熱材が発泡される空間と表示装置の配線が配設される空間とが異なるので、発泡時の断線のおそれがない。
【００１２】
また、本発明は、前記枠体は、前記中間板の前面の周囲に取り付けられることを特徴とする。
【００１３】
本発明によれば、扉体と略同サイズの大型表示装置を扉体に設けることができる。
【００１４】
また、本発明は、前記枠体の前面には、前記表示装置の画面が透過可能な透明板材が設けられていることを特徴とする。
【００１５】
本発明によれば、透明板材によって、表示装置の画面を保護することができる。
【図面の簡単な説明】
【００１６】
【図１】本発明の第１実施形態の冷蔵庫全体を概略的に示す斜視図である。
【図２】図１の冷蔵庫の上扉の内側を示す斜視図である。
【図３】図２の上扉の内部構造を示す分解斜視図である。
【図４】図２の上扉のＥ−Ｅ線における縦断面図である。
【図５】図２の上扉のＦ−Ｆ線における縦断面図である。
【図６】図２の上扉のＧ−Ｇ線における縦断面図である。
【図７】図２の上扉のＨ−Ｈ線における横断面図である。
【発明を実施するための形態】
【００１７】
以下、本発明に係る本実施形態の冷蔵庫１について、図１から図７を参照しながら説明する。
【００１８】
（冷蔵庫の全体構成）
図１は、本実施形態の冷蔵庫全体を概略的に示す斜視図である。図１に示すように、冷蔵庫１は、その内部に食品等の貯蔵室として、上段に図示しない冷蔵室と下段に図示しない冷凍室が配設された冷蔵庫本体２を備える。また、冷蔵庫１は、冷蔵庫本体２の前方Ｙ１の上下にそれぞれ、片開き式の扉体３として上扉３ａと下扉３ｂを備える。冷蔵庫本体２は、その右方Ｘ１に複数のヒンジ部材４が取り付けられており、ヒンジ部材４は、各扉体３を上下方向Ｚに延びる軸線を中心として水平方向に回動可能に軸支持している。これにより、上扉３ａは、冷蔵室の前面の図示しない開口部を開閉し、下扉３ｂは、冷凍室の前面の図示しない開口部を開閉することができる。
【００１９】
各扉体３は、扉体３の前面に画像を表示する液晶ディスプレイ等の画像表示装置５がその内部に設けられる。各扉体３の前面には、画像表示装置５の表面を覆うように、光透過性を有するガラス板等の透明前板６が設けられる。また、各扉体３の左方Ｘ２側面には、ユーザが扉体３を開く際に指先を引っ掛けるための凹部７が形成される。
【００２０】
冷蔵庫本体２には、冷凍室、冷蔵室等の各室を設定された温度に制御するための図示しないコンプレッサ及びファンモータと、コンプレッサ及びファンモータの動作を制御するための図示しない冷蔵庫本体制御部と、が設けられる。また、冷蔵庫本体２の上面には、画像表示装置５に電力を供給するための図示しない専用電源装置が設けられており、専用電源装置を上方から覆うように、上カバー部材８が装着される。
【００２１】
ここで、画像表示装置５は、各種の映像、文字、記号等を画像として表示可能なものであり、例えば、液晶、プラズマ及び有機エレクトロルミネンス等のディスプレイ装置を含む。また、画像表示装置５は、内蔵されたテレビチューナによって受信されたテレビ放送信号に基づいてテレビ番組の映像を表示するテレビ受像機であってもよい。
【００２２】
（扉体の構造）
次に、冷蔵庫１の扉体３の詳細な構造について、図２から図７を参照しながら説明する。なお、以下で特段の説明がなければ、下扉３ｂは上扉３ａと共通の構造を有するものとする。
【００２３】
図２は、図１の冷蔵庫の上扉の内側を示す斜視図である。図２に示すように、扉体３は、上下方向Ｚに複数段でポケット部１１が内側に脱着可能に取り付けられており、これらポケット部１１は、冷蔵庫本体２の前面の開口部に収容可能に設けられる。
【００２４】
図３は、図２の上扉の内部構造を示す分解斜視図である。図３に示すように、扉体３は、扉本体ユニット２０と、扉本体ユニット２０の内部に組み付けられる画像表示ユニット３０と、を備える。
【００２５】
図４は、図２の上扉のＥ−Ｅ線における縦断面図である。図４に示すように、扉本体ユニット２０は、扉体３の内側を構成する扉内板２１と、扉内板２１と対向して設けられた中間板２２と、を備える。扉内板２１は、内側にポケット部１１が取り付けられると共に、扉体３に気密性を持たせるために、周縁部にガスケット２３が取り付けられる。扉内板２１と中間板２２で挟まれた空間には、扉体３に断熱性を持たせるために、硬質ウレタン等の断熱材２５が充填発泡される。
【００２６】
また、扉本体ユニット２０は、画像表示ユニット３０を内部に収容保持する枠体２６を備える。枠体２６は、後面が中間板２２の前面の周囲に取り付けられる。枠体２６は、略直方体形状の構造体であり、上下面及び左右側面をなす周側部２６ａを有する。枠体２６の周側部２６ａは、内部に画像表示ユニット３０を収容可能な収容空間２０ｂを画成する。枠体２６は、内部に収容保持された画像表示装置５の画面が前方から見えるように前面に開口部を備える。枠体２６の左側面をなす周側部２６ａは、画像表示ユニット３０が通過可能な扉体開口部２０ａを備える。枠体２６の摺動方向に沿って延びる上下面と、上下方向Ｚに延びる右側面と、をなす周側部２６ａは、枠体２６の内部に収容保持された画像表示装置５の周縁部を囲むように断面コ字状に形成される。
【００２７】
枠体２６の内部には、画像表示ユニット３０を、扉体開口部２０ａを介して収容空間２０ｂの内部へ案内するための案内部材２８が取り付けられる。本実施形態では、案内部材２８は、枠体２６の後面の開口部を亘って左右方向Ｘに延びるように、枠体２６の後面を構成する開口縁部の前面側に案内部材２８の左右両端が取り付けられる。案内部材２８は、矩形の平板状部材であり、上端縁及び下端縁が略Ｕ字状に内方に向けて折り曲げられた屈曲部２８ａ，２８ｂを有する。なお、枠体２６及び案内部材２８は、板金加工により作製されるが、樹脂成形により作製してもよい。
【００２８】
また、扉本体ユニット２０は、画像表示装置５の画面が透過可能な透明前板６を備える。透明前板６は、枠体２６の前面に両面接着シート２７によって接着される。本実施形態では、透明前板６は、ユーザが画像表示装置５に表示される画像を見ながら所定のアプリケーション等を操作するためのタッチパネル型の操作装置として機能する。透明前板６は、矩形のガラス板６ａと、ガラス板６ａの表面全体に貼り付けられた静電容量方式の透明電極膜６ｂと、を備え、透明電極膜６ｂの表面に指などが触れたときの静電容量の変化を検知できるように構成される。なお、透明前板６は、透明電極膜６ｂを設けずに、操作装置として兼用されないものであってもよい。また、透明前板６とは別体の操作装置が設けられてもよい。
【００２９】
画像表示ユニット３０は、画像表示装置５を備えると共に、画像表示装置５の裏面の中央に、画像表示装置５を制御するための表示制御基板５０を備える。表示制御基板５０には、例えば、ＣＰＵとＲＡＭを同一パッケージに内蔵したマイクロコンピュータを主要部として構成された制御部や、ＲＡＭ、ＲＯＭ、ＥＥＰＲＯＭ、フラッシュメモリ等で構成された記憶部等が設けられる。表示制御基板５０は、所定のアプリケーションソフトウェアをインストールすることで、又は、内蔵する記憶部に記憶されたアプリケーションソフトウェアのプログラムを起動することで、画像表示装置５にアプリケーションの画面が出力されるように構成される。
【００３０】
画像表示装置５の裏面には、扉本体ユニット２０の案内部材２８に係合可能な係合部材３３が取り付けられる。係合部材３３は、中央に表示制御基板５０が挿通可能な開口部を有する平板状部材であり、上端縁及び下端縁には、後方Ｙ２に向けて屈曲して形成された上面部３３ａと下面部３３ｂと、上面部３３ａと下面部３３ｂの後方端部から更に上下方向Ｚかつ互いに離間する方向に向けて屈曲された鍔部３３ｃ，３３ｄと、を有する。また、上面部３３ａ又は下面部３３ｂには、上下方向Ｚに連通する連通孔３３ｅが形成される。
【００３１】
また、図３に示すように、画像表示ユニット３０は、表示制御基板５０を冷却するための複数の基板用ファンモータ３１を備える。基板用ファンモータ３１は、係合部材３３の右側端部に取り付けられたファン支持部材３２によって支持される。ファン支持部材３２は、扉体３の側壁に沿って上下方向Ｚに延設した平板状部材であって、上下部にそれぞれ給排気用の貫通孔３２ａ，３２ｂを有する。本実施形態では、基板用ファンモータ３１として、２つの排気用基板用ファンモータ３１ａと２つの吸気用基板用ファンモータ３１ｂを備えている。排気用基板用ファンモータ３１ａは、ファン支持部材３２の上部に設けられた貫通孔３２ａを介して、収容空間２０ｂから暖められた空気を排出する。一方で、吸気用基板用ファンモータ３１ｂは、ファン支持部材３２の下部に設けられた貫通孔３２ｂを介して、収容空間２０ｂ内へ冷えた外気を取り込む。また、各ファン支持部材３２の上下端には、基板用ファンモータ３１によって表示制御基板５０を効率的に冷却するために、整流板３４ａ，３４ｂがそれぞれ取り付けられる。
【００３２】
画像表示ユニット３０を扉体開口部２０ａを介して扉本体ユニット２０の内部へ組み付ける際、画像表示ユニット３０の係合部材３３の鍔部３３ｃ，３３ｄを扉本体ユニット２０の案内部材２８の屈曲部２８ａ，２８ｂにそれぞれ係合させながら、扉本体ユニット２０に対して画像表示ユニット３０を右方Ｘ１に突き当たるまで摺動させることで、画像表示ユニット３０が扉本体ユニット２０の収容空間２０ｂに収容される。
【００３３】
図４に示すように、収容空間２０ｂに画像表示ユニット３０が収容された状態において、画像表示装置５の背面５ａと、収容空間２０ｂの冷蔵庫本体側の面を画定する中間板２２の前面２２ａとは、隙間Ｄを介して互いに対向する。隙間Ｄにおいて、係合部材３３は案内部材２８に対して摺動可能に係合しているため、画像表示ユニット３０は、扉体開口部２０ａを介して収容空間２０ｂから取り出し可能に、扉本体ユニット２０によって保持される。
【００３４】
また、この状態において、中間板２２の前面２２ａと画像表示装置５の背面５ａとによって挟まれた隙間Ｄは、上述のように互いに案内保持する案内部材２８及び係合部材３３によって、上下方向Ｚに並んだ３つの空間Ａ，Ｂ，Ｃに画成される。
【００３５】
これら空間Ａ，Ｂ，Ｃのうち、上側の空間Ａには、冷蔵庫本体２と表示制御基板５０間を接続する配線６５を収納されると共に、中間に位置する空間Ｂには、表示制御基板５０が収納される。このとき、配線６５は、表示制御基板５０から係合部材３３の連通孔３３ｅを挿通して空間Ａ内に延びており、空間Ａ内に収納された配線６５は、枠体２６の内面に取り付けられた複数の配線固定具７０によって固定される。
【００３６】
図５は、図２の上扉のＦ−Ｆ線における縦断面図である。図７は、図２の上扉のＨ−Ｈ線における横断面図である。図５、図７に示すように、案内部材２８は、右端縁が前方Ｙ１に向けて屈曲して形成された右面部２８ｃを有し、右面部２８ｃの左側面には、左方Ｘ２に向けて突出する位置決め用凸部２９ａ、２９ｂが一体的に設けられる。また、係合部材３３は、右端縁が後方Ｙ２に向けて屈曲して形成された右面部３３ｆを有しており、右面部３３ｆには、位置決め用凸部２９ａ、２９ｂが嵌合可能な位置決め用穴部３３ｈ，３３ｉが形成される。位置決め用凸部２９ａ、２９ｂと位置決め用穴部３３ｈ，３３ｉのクリアランスは、画像表示ユニット３０の組み付けの容易性や組み付け後の安定性等を考慮して適宜決定される。
【００３７】
画像表示ユニット３０を扉体開口部２０ａを介して扉本体ユニット２０の内部へ組み付ける際、画像表示ユニット３０の右端部が扉本体ユニット２０の収容空間２０ｂの右側面に突き当たるまで挿入することで、位置決め用凸部２９ａ，２９ｂ及び位置決め用穴部３３ｈ，３３ｉが嵌合し、案内部材２８に対して画像表示装置５が摺動方向と直交する方向に位置決めされる。
【００３８】
図６は、図２の上扉のＧ−Ｇ線における縦断面図である。図６、図７に示すように、案内部材２８は、左端縁が後方Ｙ２に向けて屈曲して形成された左面部２８ｆを有しており、係合部材３３は、左端縁が前方Ｙ１に向けて屈曲して形成された左面部３３ｇを有する。扉体３は、収容空間２０ｂに収容されると共に、位置決め用凸部２９ａ，２９ｂ及び位置決め用穴部３３ｈ，３３ｉに位置決めされた画像表示装置５を含む画像表示ユニット３０を摺動方向に固定するための固定部材３５を備える。
【００３９】
固定部材３５は、扉体３の側壁に沿って上下方向Ｚに延びる平板状部材であって、その上部と下部にそれぞれ配線用の貫通孔３５ａ，３５ｂを有する。固定部材３５は、案内部材２８の左面部２８ｆと係合部材３３の左面部３３ｇにネジ等で脱着可能に固定される。
【００４０】
図３に示すように、上述の扉本体ユニット２０は、左側面に左カバーユニット４１、右側面に右カバー４２、上面に上カバー４３、及び下面に下カバー４４が装着される。左カバーユニット４１、右カバー４２、上カバー４３及び下カバー４４はそれぞれ、扉体３の筐体として左側壁、右側壁、上壁及び下壁をなす。
【００４１】
左カバーユニット４１は、上下方向Ｚに延設した板状部材であり、側面に凹部７が形成されると共に、図示しないスピーカ、ＬＥＤ発光体、マイク、コネクタ、押ボタン等の複数の電装部品が取り付けられる。電装部品に接続された電線は、固定部材３５に設けられた配線用の貫通孔３５ａ，３５ｂを介して収容空間２０ｂの内部に配線される。左カバーユニット４１は、画像表示ユニット３０が扉本体ユニット２０の収容空間２０ｂに収容された状態で固定部材３５によって固定された後、枠体２６の左側面を覆うように、扉本体ユニット２０の左側面に取り付けられる。
【００４２】
右カバー４２は、上下方向Ｚに延設した平板状部材であり、収容空間２０ｂから扉体３の外部へ空気を排出することが可能な排気口４２ａと、収容空間２０ｂに扉体３の外部から空気を取り込むことが可能な吸気口４２ｂと、を備える。
【００４３】
以上により、本実施形態によれば、扉体３は、扉体３の内側を構成する扉内板２１と、扉内板２１と対向して設けられた中間板２２と、中間板２２の前面に設けられた枠体２６と、を備え、扉内板２１と中間板２２で挟まれた空間には、発泡断熱材２５が充填され、画像表示装置５は、枠体２６の内部に固定保持されるので、扉体３の内部に画像表示装置５を設けても、扉体３の厚み寸法を増すことなく、扉体３の剛性を確保することができる。
【００４４】
本実施形態によれば、枠体２６の内部には、画像表示装置５に接続される配線が配設されるので、断熱材２５が発泡される空間と画像表示装置５の配線６５が配設される空間とが異なるので、発泡時の断線のおそれがない。
【００４５】
本実施形態によれば、枠体２６は、中間板２２の前面の周囲に取り付けられるので、扉体３と略同サイズの大型の画像表示装置５を扉体３に設けることができる。
【００４６】
本実施形態によれば、枠体２６の前面には、画像表示装置５の画面が透過可能な透明前板６が設けられているので、透明前板６によって、画像表示装置５の画面を保護することができる。
【００４７】
なお、本発明は、例示された本実施形態に限定されるものではなく、本発明の要旨を逸脱しない範囲において、種々の改良及び設計上の変更が可能である。
【００４８】
例えば、本実施形態では、上下２枚の扉３ａ、３ｂを備える片開き式の冷蔵庫１について説明したが、これに限定されるものではなく、例えば、１枚の片開き式の扉を有する冷蔵庫、上下方向Ｚに３枚以上の片開き式の扉を有する冷蔵庫等であってもよい。また、本実施形態では、片開き式の冷蔵庫１について説明したが、左右両端に軸支持された２枚の扉が左右方向Ｘに開く観音開き式の冷蔵庫であってもよい。
【産業上の利用可能性】
【００４９】
以上のように、本発明によれば、扉体の内部に扉体と略同サイズの大型表示装置を設けても、扉体の剛性が確保された冷蔵庫を提供できるので、この種の冷蔵庫の製造産業分野において、好適に利用される可能性がある。
【符号の説明】
【００５０】
１  冷蔵庫
２  冷蔵庫本体
３  扉体
５  画像表示装置
６  透明前板
２１  扉内板
２２  中間板
２５  断熱材
２６  枠体
６５  配線
【図１】
0006761948.tif 000002
【図２】
0006761948.tif 000003
【図３】
0006761948.tif 000004
【図４】
0006761948.tif 000005
【図５】
0006761948.tif 000006
【図６】
0006761948.tif 000007
【図７】
0006761948.tif 000008